(57)【要約】【課題】廃棄物からのカルシウム成分の溶出を効率良く容易に抑制できる廃棄物の安定化処理システムおよび廃棄物の安定化処理方法を提供すること。【解決手段】処分場５に埋め立てられた廃棄物１５に、飽和溶解量以上の二酸化炭素を含む溶液を散水管１３から散水する。散水された溶液は廃棄物１５に浸透し、廃棄物１５中に予め含まれるカルシウム成分と溶液中の二酸化炭素とが反応して炭酸カルシウム２１が生成され、生成された炭酸カルシウム２１が廃棄物１５中に固定化される。次に、廃棄物１５からの浸出水を処分場５の底部から浸出水集水管７内に集水し、水処理施設９に回収する。回収された浸出水の水質が管理基準を満たしていなければ、水処理施設９で浸出水の水処理を行い、所定の水質に処理された水を助剤添加装置１１に送って飽和溶解量以上の二酸化炭素を含む溶液を製造する。【選択図】図１
2020099878.tif 000002
【特許請求の範囲】
【請求項１】
飽和溶解量以上の二酸化炭素を含む溶液を散水する散水設備を具備し、
前記散水設備を用いて前記溶液を廃棄物に散水し、前記溶液を前記廃棄物に浸透させることを特徴とする廃棄物の安定化処理システム。
【請求項２】
前記溶液が二酸化炭素ナノバブル水であることを特徴とする請求項１記載の廃棄物の安定化処理システム。
【請求項３】
前記溶液がリン酸イオンを含むことを特徴とする請求項１または請求項２記載の廃棄物の安定化処理システム。
【請求項４】
前記廃棄物が処分場に埋め立てられていることを特徴とする請求項１から請求項３のいずれかに記載の廃棄物の安定化処理システム。
【請求項５】
前記廃棄物から浸出した浸出水を所定の水質にする水処理施設と、
前記浸出水に二酸化炭素を添加する添加装置と、
をさらに具備し、
前記浸出水が、前記水処理施設および前記添加装置を通過した後、前記散水設備で循環利用されることを特徴とする請求項４記載の廃棄物の安定化処理システム。
【請求項６】
飽和溶解量以上の二酸化炭素を含む溶液を廃棄物に散水する工程ａと、
前記溶液を前記廃棄物に浸透させる工程ｂと、
を具備することを特徴とする廃棄物の安定化処理方法。
【請求項７】
前記工程ａの前に、前記廃棄物を処分場に投入して埋め立てる工程ｃをさらに具備することを特徴とする請求項６記載の廃棄物の安定化処理方法。
【請求項８】
前記工程ｃの前に、前記廃棄物に含まれるカルシウム成分の溶出量を予測し、前記溶出量に基づいてリン酸の添加量を算定する工程ｄをさらに具備し、
前記工程ａで、前記添加量のリン酸イオンを含む前記溶液を前記廃棄物に散水することを特徴とする請求項７記載の廃棄物の安定化処理方法。
【請求項９】
前記工程ｄの前に、前記廃棄物を、二酸化炭素を含む気体調整槽の内部に仮置きすることを特徴とする請求項８記載の廃棄物の安定化処理方法。
【発明の詳細な説明】
【技術分野】
【０００１】
本発明は、廃棄物の安定化処理システムおよび廃棄物の安定化処理方法に関するものである。
【背景技術】
【０００２】
管理型の最終処分場に関連する工事は、主に、処分場の建設工程と、処分場の維持管理工程とに分類されている。維持管理工程では、例えば、処分場に廃棄物を埋め立てた後、廃棄物を安定化し、処分場を廃止するまでの管理を行う。この場合、埋め立てた廃棄物に対して雨水や人工散水による廃棄物中の重金属等の洗い出しを行って安定化を促進する。洗い出しに使用されて廃棄物から浸出した水は処理設備にて適切な水質へと処理され、放流または再利用される。
【０００３】
また、廃棄物を処分場に埋め立てる前に安定化処理を行う場合もある。この場合は、ごみ等を焼却した時に発生する飛灰に少量の水を添加して十分に混練し、炭酸ガスを吹き込んで飛灰中のアルカリ分を中和した後にリン酸系重金属固定化剤を添加して混練する方法がある（例えば、特許文献１参照）。
【先行技術文献】
【特許文献】
【０００４】
【特許文献１】特許第３４６８２５０号公報
【発明の概要】
【発明が解決しようとする課題】
【０００５】
維持管理工程において処分場に埋め立てた廃棄物の洗い出しを行うと、廃棄物から重金属等と共にカルシウムが放出され、放出されたカルシウムが気中などの二酸化炭素と反応することによって炭酸カルシウムとして析出する。この反応が浸出水の集水管や水処理施設などで起こると、目詰まりが発生して処理能力が低下するなどの問題が生じる。
【０００６】
一方、特許文献１記載の方法によって飛灰の安定化処理を行うと、埋め立て前に飛灰が重金属およびカルシウムの溶出が抑制された状態となるので、集水管や水処理施設などでの目詰まりを低減することができる。しかし、飛灰に炭酸ガスを吹き込んで混練する作業は手間がかかり、作業スペースが別途必要である。また、カルシウムの溶出は炭酸ガスおよびリン酸と反応することで抑制されており、混練した炭酸ガスとの反応のみでカルシウムの溶出を充分に抑制するのは困難である。
【０００７】
本発明は、前述した問題点に鑑みてなされたものであり、その目的とすることは、廃棄物からのカルシウム成分の溶出を効率良く容易に抑制できる廃棄物の安定化処理システムおよび廃棄物の安定化処理方法である。
【課題を解決するための手段】
【０００８】
前述した目的を達成するために第１の発明は、飽和溶解量以上の二酸化炭素を含む溶液を散水する散水設備を具備し、前記散水設備を用いて前記溶液を廃棄物に散水し、前記溶液を前記廃棄物に浸透させることを特徴とする廃棄物の安定化処理システムである。
【０００９】
第１の発明では、飽和溶解量以上の二酸化炭素を含む溶液を廃棄物に散水して浸透させる。これにより、廃棄物中に予め含まれるカルシウム成分と二酸化炭素とが接触して炭酸カルシウムが生成され、カルシウム成分が廃棄物中に固定化されるので、廃棄物からのカルシウム成分の溶出を効率良く容易に抑制できる。
【００１０】
前記溶液が二酸化炭素ナノバブル水であることが望ましい。
これにより、溶液中に分散した二酸化炭素の気泡を安定的に残存させることができるので、カルシウム成分を廃棄物中に固定化させる効果が長期間に亘って持続する。
【００１１】
前記溶液がリン酸イオンを含んでもよい。
これにより、二酸化炭素によって固定化できなかったカルシウム成分をリン酸イオンと反応させてリン酸カルシウムを生成させ、廃棄物中に固定化することができる。
【００１２】
前記廃棄物が処分場に埋め立てられていることが望ましい。
これにより、作業スペースを別途設けることなく、処分場内で廃棄物を安定化させることができる。
【００１３】
廃棄物が処分場に埋め立てられている場合、前記廃棄物から浸出した浸出水を所定の水質にする水処理施設と、前記浸出水に二酸化炭素を添加する添加装置と、をさらに具備し、前記浸出水が、前記水処理施設および前記添加装置を通過した後、前記散水設備で循環利用されてもよい。
これにより、浸出水を有効に利用することができる。
【００１４】
第２の発明は、飽和溶解量以上の二酸化炭素を含む溶液を廃棄物に散水する工程ａと、前記溶液を前記廃棄物に浸透させる工程ｂと、を具備することを特徴とする廃棄物の安定化処理方法である。
【００１５】
第２の発明では、飽和溶解量以上の二酸化炭素を含む溶液を廃棄物に散水して浸透させる。これにより、廃棄物中に予め含まれるカルシウム成分と二酸化炭素とが接触して炭酸カルシウムが生成され、カルシウム成分が廃棄物中に固定化されるので、廃棄物からのカルシウム成分の溶出を効率良く容易に抑制できる。
【００１６】
前記工程ａの前に、前記廃棄物を処分場に投入して埋め立てる工程ｃをさらに具備することが望ましい。
これにより、作業スペースを別途設けることなく、処分場内で廃棄物を安定化させることができる。
【００１７】
前記工程ｃの前に、前記廃棄物に含まれるカルシウム成分の溶出量を予測し、前記溶出量に基づいてリン酸の添加量を算定する工程ｄをさらに具備し、前記工程ａで、前記添加量のリン酸イオンを含む前記溶液を前記廃棄物に散水してもよい。
これにより、工程ｂで、二酸化炭素によって固定化できなかったカルシウム成分をリン酸イオンと反応させてリン酸カルシウムを生成させ、廃棄物中に固定化することができる。また、工程ｂでカルシウム成分を固定化するのに必要となるリン酸の適正な添加量を予め算出することができるので、高価なリン酸を必要量以上に添加することがなくなりコストが低減される。
【００１８】
前記工程ｄの前に、前記廃棄物を、二酸化炭素を含む気体調整槽の内部に仮置きしてもよい。
これにより、廃棄物を埋め立てる前に、気体調整槽内で、ある程度の量のカルシウム成分を廃棄物中に固定化することができる。
【発明の効果】
【００１９】
本発明によれば、廃棄物からのカルシウム成分の溶出を効率良く容易に抑制できる廃棄物の安定化処理システムおよび廃棄物の安定化処理方法を提供できる。
【図面の簡単な説明】
【００２０】
【図１】安定化処理システム３を示す図
【図２】廃棄物１５の維持管理工程を示すフローチャート
【図３】カルシウム成分の溶出実験の結果を示すグラフ
【図４】安定化処理システム３ａを示す図
【図５】廃棄物１５の維持管理工程を示すフローチャート
【図６】安定化処理システム３ｂを示す図
【図７】廃棄物１５の維持管理工程の一部を示すフローチャート
【発明を実施するための形態】
【００２１】
以下、図面に基づいて本発明の第１の実施形態について詳細に説明する。
図１は本発明の第１の実施形態に係る安定化処理システム３を示す図である。安定化処理システム３は、仮置き場４、処分場５、浸出水集水管７、水処理施設９、助剤添加装置１１、散水管１３（散水設備）等からなる。
【００２２】
処分場５は、地盤１を掘削して構築される。処分場５には、廃棄物１５が埋め立てられる。廃棄物１５は、複数の層からなり、廃棄物１５の層の間に中間覆土１７が設けられてもよい。処分場５には、廃棄物１５等から発生するガスを空中に逃がすためのガス抜き管１９が設けられる。仮置き場４は、埋立前の廃棄物１５を仮置きする場所であり、処分場５付近に設けられる。
【００２３】
浸出水集水管７は、一方の端部付近が処分場５の底部に配置され、他方の端部が地上の水処理施設９に連結される。助剤添加装置１１は、水処理施設９に連結され、水処理施設９から送られた水に助剤である二酸化炭素を添加する。散水管１３は、助剤添加装置１１に連結され、助剤添加装置１１から送られた溶液を処分場５に散水する。浸出水集水管７は、処分場５からの浸出水を集水して水処理施設９に回収する。
【００２４】
図２は、安定化処理システム３における廃棄物１５の維持管理工程を示すフローチャートである。以下に、廃棄物１５の維持管理工程について図２に沿って説明する。
【００２５】
維持管理工程では、まず、埋立前の廃棄物１５を仮置き場４に仮置きする（Ｓ１０１）。そして、処分場５に廃棄物１５を埋め立てる（Ｓ１０２）。廃棄物１５を埋め立てる際には、図１に示すように、所定量の廃棄物１５を埋め立てる作業と、廃棄物１５の層上に飛散防止のための中間覆土１７を設置する作業とを繰り返す。
【００２６】
次に、飽和溶解量以上の二酸化炭素を含む溶液を、処分場５に埋め立てられた廃棄物１５に散水管１３を用いて散水する（Ｓ１０３）。飽和溶解量以上の二酸化炭素を含む溶液は、飽和溶解量までは二酸化炭素が水に溶解し、さらに二酸化炭素が気泡として分散しているものであり、例えば二酸化炭素ナノバブル水である。二酸化炭素ナノバブル水は、気泡が１μｍ以下の二酸化炭素ナノバブルを含む透明な水である。二酸化炭素ナノバブル水は、助剤添加装置１１で水に助剤として二酸化炭素ナノバブルを添加することによって製造される。二酸化炭素の飽和溶解量は、例えば２５度、１気圧で１４９０ｍｇ／Ｌ程度である。
【００２７】
Ｓ１０３で散水された二酸化炭素ナノバブル水は、廃棄物１５に浸透する。そして、廃棄物１５中に予め含まれるカルシウム成分と二酸化炭素とが接触して反応し、難溶性の炭酸カルシウム２１が生成される。こうして、廃棄物１５中に予め含まれるカルシウム成分は、炭酸カルシウム２１として廃棄物１５中に固定化される。
【００２８】
次に、廃棄物１５からの浸出水を集水する（Ｓ１０４）。廃棄物１５からの浸出水は、処分場５の底部から浸出水集水管７内に集水され、浸出水集水管７によって水処理施設９に回収される。
【００２９】
水処理施設９では、まず、回収された浸出水の水質を確認する（Ｓ１０５）。そして、浸出水の水質が管理基準を満たしていれば、水処理施設９の運転を停止し（Ｓ１０８）、回収した水を放流する。
【００３０】
Ｓ１０５で管理基準を満たしていなければ、水処理施設９で浸出水の水処理を行い（Ｓ１０６）、所定の水質に処理された水を助剤添加装置１１に送って、助剤添加装置１１で水に助剤として二酸化炭素を添加する（Ｓ１０７）。Ｓ１０６およびＳ１０７によって、回収された浸出水は飽和溶解量以上の二酸化炭素を含む溶液である二酸化炭素ナノバブル水となり、Ｓ１０３での循環利用が可能になる。
【００３１】
次に、二酸化炭素ナノバブル水によるカルシウム成分の固定効果について述べる。図３は、カルシウム成分の溶出実験の結果を示すグラフである。実験では、蒸留水７５ｍＬと、０．１ＭＰａ程度で二酸化炭素ガスを１０分間供給して作製した二酸化炭素ナノバブル水７５ｍＬとを準備した。そして、蒸留水、二酸化炭素ナノバブル水のそれぞれに焼却灰を液固比１０で２４時間浸漬させ、試料を６時間振とうした後、浸出水の水質を分析した。
【００３２】
図３に示すように、焼却灰を二酸化炭素ナノバブル水に浸漬することによって、蒸留水に浸漬した場合と比較して、カルシウム成分の浸出水への溶出が抑制される。これは、焼却灰中のカルシウム成分と二酸化炭素とが反応してカルシウム成分が焼却灰中に固定化されるためであり、蒸留水に浸漬した焼却灰からの浸出水に溶出したカルシウムが１３５４ｍｇ／Ｌであったのに対し、二酸化炭素ナノバブル水に浸漬した焼却灰からの浸出水に溶出したカルシウムは５３９ｍｇ／Ｌであった。
【００３３】
前記した特許文献１記載の方法では、炭酸ガスは主に飛灰中のアルカリ分を中和するために混練されており、カルシウム成分を飛灰中に固定化して溶出を抑制するにはリン酸の添加が必要である。一方、二酸化炭素ナノバブル水に浸透させる方法では、図３に示すようにリン酸を加えなくてもカルシウム成分の溶出を充分に抑制できる。その効果はリン酸を添加した場合と同等であると考えられる。
【００３４】
このように、第１の実施形態では、飽和溶解量以上の二酸化炭素を含む二酸化炭素ナノバブル水を、処分場５に埋め立てられた廃棄物１５に散水して浸透させる。これにより、廃棄物１５中に予め含まれるカルシウム成分と二酸化炭素とが接触して炭酸カルシウムが生成されて廃棄物１５中に固定化され、廃棄物１５からのカルシウム成分の溶出が抑制される。前記した従来の方法では、廃棄物１５の埋め立て前に作業スペースを別途設けて炭酸ガスを混練する必要があったが、第１の実施形態によれば処分場５内で廃棄物１５に飽和溶解量以上の二酸化炭素が含まれる溶液を浸透させることにより、少ない水量で多くの二酸化炭素を反応させることができるので、カルシウム成分を効率良く容易に固定化することができる。
【００３５】
第１の実施形態では、二酸化炭素ナノバブル水を用いることにより、廃棄物１５に浸透した状態の溶液中に、二酸化炭素を長期間に亘って安定的に残存させることができる。そのため、カルシウム成分を廃棄物１５中に固定化させる効果が長期間持続する。カルシウムを廃棄物１５中に固定化することで、浸出水集水管７中で炭酸カルシウムが生成されて集水能力が低下するリスクを大幅に低減でき、安定的な廃棄物洗浄が行える。また、水処理施設９でのカルシウム処理コストを低減できる。
【００３６】
第１の実施形態では、廃棄物１５から浸出した浸出水を所定の水質にする水処理施設９と、浸出水に二酸化炭素を添加する助剤添加装置１１とを設けることにより、処分場５からの浸出水を水処理施設９および助剤添加装置１１で処理し、廃棄物１５への散水のために循環利用することができる。
【００３７】
以下、本発明の別の実施形態について説明する。各実施形態はそれまでに説明した実施形態と異なる点について説明し、同様の構成については図等で同じ符号を付すなどして説明を省略する。
【００３８】
第２の実施形態について説明する。図４は本発明の第２の実施形態に係る安定化処理システム３ａを示す図である。安定化処理システム３ａは、第１の実施形態の安定化処理システム３と略同様の構成であるが、助剤添加装置１１の代わりに助剤添加装置１１ａを有する。助剤添加装置１１ａは、水処理施設９から送られた水に助剤である二酸化炭素およびリン酸を添加する。
【００３９】
図５は、安定化処理システム３ａにおける廃棄物１５の維持管理工程を示すフローチャートである。安定化処理システム３ａにおける廃棄物１５の維持管理工程は、第１の実施形態の安定化処理システム３における廃棄物１５の維持管理工程と略同様であるが、Ｓ１０３およびＳ１０７の代わりにＳ１０３ａおよびＳ１０７ａを有する。以下に、廃棄物１５の維持管理工程について図５に沿って説明する。
【００４０】
維持管理工程では、まず、第１の実施形態と同様にして、埋立前の廃棄物１５を仮置き場４に仮置きし（Ｓ１０１）、処分場５に廃棄物１５を埋め立てる（Ｓ１０２）。
【００４１】
次に、飽和溶解量以上の二酸化炭素およびリン酸イオンを含む溶液を、処分場５に埋め立てられた廃棄物１５に散水管１３を用いて散水する（Ｓ１０３ａ）。Ｓ１０３ａで散水する溶液は、飽和溶解量以上の二酸化炭素を含む二酸化炭素ナノバブル水にリン酸を添加したものであり、助剤添加装置１１ａで水に助剤として二酸化炭素ナノバブルおよびリン酸を添加することによって製造される。リン酸は、例えば、リン酸、リン酸水素二ナトリウム、リン酸三ナトリウム、三リン酸ナトリウム、ピロリン酸ナトリウム等である。
【００４２】
Ｓ１０３ａで散水された溶液は、廃棄物１５に浸透する。そして、廃棄物１５中に予め含まれるカルシウム成分と、二酸化炭素やリン酸イオンとが接触して反応し、いずれも難溶性の炭酸カルシウム２１、リン酸カルシウム２３が生成される。こうして、カルシウム成分は炭酸カルシウム２１およびリン酸カルシウム２３として廃棄物１５中に固定化される。
【００４３】
次に、第１の実施形態と同様にして、廃棄物１５からの浸出水を集水し（Ｓ１０４）、水処理施設９で回収された浸出水の水質を確認する（Ｓ１０５）。そして、浸出水の水質が管理基準を満たしていれば、水処理施設９の運転を停止し（Ｓ１０８）、回収した水を放流する。
【００４４】
Ｓ１０５で管理基準を満たしていなければ、水処理施設９で浸出水の水処理を行う（Ｓ１０６）。但し、リン酸塩は量を減らしても良く、処理しなくてもよい。そして、所定の水質に処理された水を助剤添加装置１１ａに送って、助剤添加装置１１ａで水に助剤として二酸化炭素およびリン酸を添加する（Ｓ１０７ａ）。Ｓ１０６およびＳ１０７ａによって、回収された浸出水は飽和溶解量以上の二酸化炭素を含む二酸化炭素ナノバブル水にリン酸を加えた溶液となり、Ｓ１０３ａでの循環利用が可能になる。
【００４５】
このように、第２の実施形態では、飽和溶解量以上の二酸化炭素を含む二酸化炭素ナノバブル水にリン酸を添加した溶液を、処分場５に埋め立てられた廃棄物１５に散水して浸透させる。これにより、廃棄物１５中に予め含まれるカルシウム成分と二酸化炭素およびリン酸イオンとが接触し、炭酸カルシウムおよびリン酸カルシウムが生成されて廃棄物１５中に固定化され、廃棄物１５からのカルシウム成分の溶出が抑制される。第２の実施形態においても、処分場５内で廃棄物１５に溶液を浸透させてカルシウム成分を効率良く容易に固定化することができる。
【００４６】
第２の実施形態では、飽和溶解量以上の二酸化炭素を含む溶液として二酸化炭素ナノバブル水を用いることにより、廃棄物１５に浸透した状態の溶液中に、二酸化炭素を長期間に亘って安定的に残存させることができる。加えて、二酸化炭素ナノバブル水にリン酸を添加することにより、リン酸によるカルシウム成分の固定効果も得られる。また、リン酸を添加することにより、カルシウムと共沈する重金属（鉛など）の溶出量も抑えることができ、浸出水のｐＨが中性側（５．６から８．６程度）に調整されることでホウ素の溶出が促進される。このように、重金属の選択的な洗い出しや不溶化も実現できる。
【００４７】
第２の実施形態においても、処分場５からの浸出水を水処理施設９および助剤添加装置１１ａで処理し、廃棄物１５への散水のために循環利用することができる。
【００４８】
第３の実施形態について説明する。図６は本発明の第３の実施形態に係る安定化処理システム３ｂを示す図である。安定化処理システム３ｂは、第２の実施形態の安定化処理システム３ａと略同様の構成であるが、仮置き場４が気体調整槽２５の内部に設けられる。気体調整槽２５は、二酸化炭素を大気中よりも高い濃度で含む気体が充満された槽である。
【００４９】
図７は、安定化処理システム３ｂにおける廃棄物１５の維持管理工程の一部を示すフローチャートである。安定化処理システム３ｂにおける廃棄物１５の維持管理工程は、第２の実施形態の安定化処理システム３ａにおける廃棄物１５の維持管理工程（図５）と略同様であるが、Ｓ１０１の代わりにＳ１０１ａを有し、Ｓ１０１ａとＳ１０２との間にＳ１０９を有する。以下に、廃棄物１５の維持管理工程について図７に沿って説明する。
【００５０】
維持管理工程では、まず、埋立前の廃棄物１５を気体調整槽２５内の仮置き場４に仮置きする（Ｓ１０１ａ）。Ｓ１０１ａでの仮置き中、廃棄物１５は気体調整槽２５内で二酸化炭素を含む気体中に曝露されるので、廃棄物１５中のカルシウム成分のうち、ある程度の量が二酸化炭素と接触して炭酸カルシウムが生成され、廃棄物１５中に固定化される。
【００５１】
次に、廃棄物１５に含まれるカルシウム成分の溶出量を予測する（Ｓ１０９）。Ｓ１０９では、埋め立て後の廃棄物１５からのカルシウム成分の溶出量を、埋め立て前の廃棄物１５に含まれるカルシウム成分の量をＸ線回折や溶出試験で測定することによって予測する。なお、Ｓ１０９でのカルシウム成分の溶出量とは、助剤が添加されていない溶液を廃棄物１５に散水することで溶出すると予測されるカルシウム成分の量である。
【００５２】
そして、Ｓ１０９で予測したカルシウム成分の溶出量に基づいて、Ｓ１０３ａ（図５）で散水する溶液に添加するリン酸の添加量を算定する。リン酸の添加量は、Ｓ１０９で予測したカルシウム成分の溶出量のうち、二酸化炭素ナノバブルとの接触によって固定されると考えられる量を除く量のカルシウム成分がリン酸イオンによって固定されるように算定される。
【００５３】
Ｓ１０９の後、処分場５に廃棄物１５を埋め立て（Ｓ１０２）、図５に示すＳ１０３ａ以降を実施する。
【００５４】
このように、第３の実施形態では、二酸化炭素を含む気体調整槽２５の内部に廃棄物１５を仮置きする。これにより、廃棄物１５を埋め立てる前に、気体調整槽２５内で、ある程度の量のカルシウム成分を廃棄物１５中に固定化することができる。第３の実施形態においても、飽和溶解量以上の二酸化炭素を含む二酸化炭素ナノバブル水にリン酸を添加した溶液を処分場５に埋め立てられた廃棄物１５に散水して浸透させることにより、第２の実施形態と同様の効果が得られる。
【００５５】
第３の実施形態では、廃棄物１５を埋め立てる前に、廃棄物１５に含まれるカルシウム成分の溶出量を予測し、予測した溶出量に基づいてリン酸の添加量を算出する。これにより、二酸化炭素によって固定化できなかったカルシウム成分をより確実にリン酸イオンと反応させてリン酸カルシウムを生成させ、廃棄物中に固定化することができる。また、カルシウム成分を固定化するのに必要となるリン酸の適正な添加量を予め算出することができるので、高価なリン酸を必要量以上に添加することがなくなりコストが低減される。
【００５６】
なお、各実施形態で説明する構成は必要に応じて組み合わせることができる。例えば、第１の実施形態において仮置き場４を気体調整槽２５の内部に設置してもよい。第２の実施形態において埋め立て前に廃棄物１５からのカルシウム成分の溶出量を予測してリン酸の添加量を算出してもよい。
【００５７】
また、第１、第２の実施形態において、仮置き場４に仮置きした廃棄物１５に、図２に示すＳ１０３で用いる二酸化炭素ナノバブル水や、図５に示すＳ１０３ａで用いるリン酸を添加した二酸化炭素ナノバブル水を散水してもよい。これにより、廃棄物１５を仮置きした状態で、カルシウム成分を廃棄物１５中に効率良く容易に固定化できる。
【００５８】
なお、廃棄物１５に散水する溶液に含まれる飽和溶解量以上の二酸化炭素は、ナノバブルでなくてもよい。また、対象とする処分場はクローズド型に限らずオープン型でもよい。
【００５９】
以上、添付図面を参照しながら、本発明に係る好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６０】
１………地盤
３、３ａ、３ｂ………安定化処理システム
４………仮置き場
５………処分場
７………浸出水集水管
９………水処理施設
１１、１１ａ………助剤添加装置
１３………散水管
１５………廃棄物
１７………中間覆土
１９………ガス抜き管
２１………炭酸カルシウム
２３………リン酸カルシウム
【図１】
2020099878.tif 000003
【図２】
2020099878.tif 000004
【図３】
2020099878.tif 000005
【図４】
2020099878.tif 000006
【図５】
2020099878.tif 000007
【図６】
2020099878.tif 000008
【図７】
2020099878.tif 000009